【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
磁性体で矩形な板状に形成された磁性部材と非磁性体で矩形な板状に形成された非磁性部材とをこれらの厚さ方向で交互に積層したことにより、各側面と前記磁性部材と前記非磁性部材とが交互に現れている下面と上面とを備えて四角柱状に形成され、前記各側面のうちでお互いが平行な２つの側面では、前記磁性部材と前記非磁性部材とが交互に現れている基材と；
磁性体で構成され、長手方向と直交する平面による断面がＬ字状に形成され、長さが前記磁性部材と前記非磁性部材とを積層してある方向での前記基材の寸法である前記基材の厚さより僅かに短く形成され、前記長手方向が前記磁性部材と前記非磁性部材との積層方向と一致し、内側の１つの平面が前記基材の１つの側面であって前記磁性部材と前記非磁性部材とが交互に現れている側面に面接触して滑り対隅をなし、内側の他の１つの平面が前記基材の上面に対向するようにして、前記基材に設けられている第１の中間支持部材と；
前記第１の中間支持部材の内側の他の１つの平面が前記基材から離れるように付勢する第１の付勢手段と；
磁性体で前記第１の中間支持部材と同形状に形成され、長手方向が前記前記磁性部材と前記非磁性部材との積層方向と一致し、内側の１つの平面が前記基材の他の１つの側面であって前記磁性部材と前記非磁性部材とが交互に現れている側面に面接触して滑り対隅をなし、内側の他の１つの平面が前記基材の上面に対向するようにして、前記基材に設けられている第２の中間支持部材と；
前記第２の中間支持部材の内側の他の１つの平面が前記基材から離れるように付勢する第２の付勢手段と；
所定の厚さで矩形な板状に形成された基端部側部位と短い円柱状に形成された先端部側部位とでほぼ板状に形成された基部材と、矩形な筒状に形成されお互いが平行になっている内側の２つ平面の間の距離が前記磁性部材と前記非磁性部材とが交互に現れている２つの側面とは異なる前記基材の他の２つの側面の間の距離よりもごく僅かに大きくなっており、前記お互いが平行になっている内側の２つの平面とは異なる他の２つ平面の間の距離が前記基材に設置されている各中間支持部材の外形寸法であって前記磁性部材と前記非磁性部材とが交互に現れている側面と直交する方向における外形寸法よりもごく僅かに大きくなっており、中心軸の延伸方向の一端部が前記基部材の基端部側部位に一体的に設けられて前記基部材から離れる方向に延びているカバー部材とを備えて矩形な枡状に形成されており、前記基部材の基端部側部位の平面が前記基材に設置されている各中間支持部材と面接触し、前記カバー部材の内側の２つの平面が、前記基材の他の２つの側面と面接触して滑り対隅をなし、前記カバー部材の内側の他の２つの平面が、前記基材に設けられている各中間支持部材の外側の面と面接触して滑り対隅をなすようにして、前記基材と前記各中間支持部材とに設けられている外側支持部材と；
を有することを特徴とするワーク支持具。
【請求項２】
磁性体で矩形な板状に形成された磁性部材と非磁性体で矩形な板状に形成された非磁性部材とをこれらの厚さ方向で交互に積層したことにより、各側面と前記磁性部材と前記非磁性部材とが交互に現れている下面と上面とを備えて四角柱状に形成され、前記各側面のうちでお互いが平行な２つの側面では、前記磁性部材と前記非磁性部材とが交互に現れている基材と；
矩形な板状に形成され中央に円形状の貫通孔を備えた蓋部材と矩形な筒状に形成され前記蓋部材の厚さ方向の一方の面から延出するようにして前記蓋部材に一体的に設けられた筒状部材とを備えて矩形な枡状に形成され、前記蓋部材が前記基材の上面から離れて平行になり、また、前記筒状部材の先端部側が前記基材の側面を囲むようにして前記基材に一体的に設けられたガイド部材と；
磁性体で構成され、長手方向と直交する平面による断面がＬ字状に形成され、長さが前記磁性部材と前記非磁性部材とを積層してある方向での前記基材の寸法である前記基材の厚さより僅かに短く形成され、前記長手方向が前記磁性部材と前記非磁性部材との積層方向と一致し、内側の１つの平面が前記基材の１つの側面であって前記磁性部材と前記非磁性部材とが交互に現れている側面に面接触して滑り対隅をなし、外側の１つの平面であって前記滑り待遇をなしている内側の１つの平面と平行な平面が、前記筒状部材の内側の１つの平面と滑り対偶をなすことによって、前記基材の上面に対して直交する方向で移動自在になっており、また、内側の他の１つの平面が前記基材の上面と平行になるようにして前記基材と前記筒状部材との間に設けられている中間支持部材と；
前記中間支持部材の内側の他の１つの平面が前記基材から離れるように付勢する付勢手段と；
円柱状のガイド部位とこのガイド部位の外径よりも大きな外径で短い円柱状に形成され前記ガイド部位の長手方向の一端部側で前記ガイド部位に一体的に設けられたワーク支持部位と前記ガイド部位の長手方向の他端部側で前記ガイド部位に一体的に設けられたテコ当接部位とを備えた形状に形成されており、前記ガイド部位が前記蓋部材の貫通孔に係合して、前記基材部材に対して前記中間支持部材と同方向に移動自在になっており、また、前記テコ当接部位が前記基材の上面と前記ガイド部材の蓋部材との間で前記蓋部材側に位置し、前記ワーク支持部位が、前記蓋部材の外側に突出するようにして、前記蓋部材に設けられているワーク支持部材と；
長手方向の一端部側の部位が前記基材の上面で前記基材に一体的に設けられた支点構成部材に当接し、長手方向の中間部の部位が前記テコ当接部位に当接し、長手方向の他端部側の部位が、前記中間支持部材に当接するようにして、前記付勢手段による付勢力を前記ワーク支持部材の伝えるテコ構成部材と；
を有することを特徴とするワーク支持具。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
請求項１に記載の発明は、磁性体で矩形な板状に形成された磁性部材と非磁性体で矩形な板状に形成された非磁性部材とをこれらの厚さ方向で交互に積層したことにより、各側面と前記磁性部材と前記非磁性部材とが交互に現れている下面と上面とを備えて四角柱状に形成され、前記各側面のうちでお互いが平行な２つの側面では、前記磁性部材と前記非磁性部材とが交互に現れている基材と、磁性体で構成され、長手方向と直交する平面による断面がＬ字状に形成され、長さが前記磁性部材と前記非磁性部材とを積層してある方向での前記基材の寸法である前記基材の厚さより僅かに短く形成され、前記長手方向が前記磁性部材と前記非磁性部材との積層方向と一致し、内側の１つの平面が前記基材の１つの側面であって前記磁性部材と前記非磁性部材とが交互に現れている側面に面接触して滑り対隅をなし、内側の他の１つの平面が前記基材の上面に対向するようにして、前記基材に設けられている第１の中間支持部材と、前記第１の中間支持部材の内側の他の１つの平面が前記基材から離れるように付勢する第１の付勢手段と、磁性体で前記第１の中間支持部材と同形状に形成され、長手方向が前記前記磁性部材と前記非磁性部材との積層方向と一致し、内側の１つの平面が前記基材の他の１つの側面であって前記磁性部材と前記非磁性部材とが交互に現れている側面に面接触して滑り対隅をなし、内側の他の１つの平面が前記基材の上面に対向するようにして、前記基材に設けられている第２の中間支持部材と、前記第２の中間支持部材の内側の他の１つの平面が前記基材から離れるように付勢する第２の付勢手段と、所定の厚さで矩形な板状に形成された基端部側部位と短い円柱状に形成された先端部側部位とでほぼ板状に形成された基部材と、矩形な筒状に形成されお互いが平行になっている内側の２つ平面の間の距離が前記磁性部材と前記非磁性部材とが交互に現れている２つの側面とは異なる前記基材の他の２つの側面の間の距離よりもごく僅かに大きくなっており、前記お互いが平行になっている内側の２つの平面とは異なる他の２つ平面の間の距離が前記基材に設置されている各中間支持部材の外形寸法であって前記磁性部材と前記非磁性部材とが交互に現れている側面と直交する方向における外形寸法よりもごく僅かに大きくなっており、中心軸の延伸方向の一端部が前記基部材の基端部側部位に一体的に設けられて前記基部材から離れる方向に延びているカバー部材とを備えて矩形な枡状に形成されており、前記基部材の基端部側部位の平面が前記基材に設置されている各中間支持部材と面接触し、前記カバー部材の内側の２つの平面が、前記基材の他の２つの側面と面接触して滑り対隅をなし、前記カバー部材の内側の他の２つの平面が、前記基材に設けられている各中間支持部材の外側の面と面接触して滑り対隅をなすようにして、前記基材と前記各中間支持部材とに設けられている外側支持部材とを有するワーク支持具である。
【手続補正７】
【補正対象書類名】明細書
【補正対象項目名】００１７
【補正方法】変更
【補正の内容】
【００１７】
請求項２に記載の発明は、磁性体で矩形な板状に形成された磁性部材と非磁性体で矩形な板状に形成された非磁性部材とをこれらの厚さ方向で交互に積層したことにより、各側面と前記磁性部材と前記非磁性部材とが交互に現れている下面と上面とを備えて四角柱状に形成され、前記各側面のうちでお互いが平行な２つの側面では、前記磁性部材と前記非磁性部材とが交互に現れている基材と、矩形な板状に形成され中央に円形状の貫通孔を備えた蓋部材と矩形な筒状に形成され前記蓋部材の厚さ方向の一方の面から延出するようにして前記蓋部材に一体的に設けられた筒状部材とを備えて矩形な枡状に形成され、前記蓋部材が前記基材の上面から離れて平行になり、また、前記筒状部材の先端部側が前記基材の側面を囲むようにして前記基材に一体的に設けられたガイド部材と、磁性体で構成され、長手方向と直交する平面による断面がＬ字状に形成され、長さが前記磁性部材と前記非磁性部材とを積層してある方向での前記基材の寸法である前記基材の厚さより僅かに短く形成され、前記長手方向が前記磁性部材と前記非磁性部材との積層方向と一致し、内側の１つの平面が前記基材の１つの側面であって前記磁性部材と前記非磁性部材とが交互に現れている側面に面接触して滑り対隅をなし、外側の１つの平面であって前記滑り待遇をなしている内側の１つの平面と平行な平面が、前記筒状部材の内側の１つの平面と滑り対偶をなすことによって、前記基材の上面に対して直交する方向で移動自在になっており、また、内側の他の１つの平面が前記基材の上面と平行になるようにして前記基材と前記筒状部材との間に設けられている中間支持部材と、前記中間支持部材の内側の他の１つの平面が前記基材から離れるように付勢する付勢手段と、円柱状のガイド部位とこのガイド部位の外径よりも大きな外径で短い円柱状に形成され前記ガイド部位の長手方向の一端部側で前記ガイド部位に一体的に設けられたワーク支持部位と前記ガイド部位の長手方向の他端部側で前記ガイド部位に一体的に設けられたテコ当接部位とを備えた形状に形成されており、前記ガイド部位が前記蓋部材の貫通孔に係合して、前記基材部材に対して前記中間支持部材と同方向に移動自在になっており、また、前記テコ当接部位が前記基材の上面と前記ガイド部材の蓋部材との間で前記蓋部材側に位置し、前記ワーク支持部位が、前記蓋部材の外側に突出するようにして、前記蓋部材に設けられているワーク支持部材と、長手方向の一端部側の部位が前記基材の上面で前記基材に一体的に設けられた支点構成部材に当接し、長手方向の中間部の部位が前記テコ当接部位に当接し、長手方向の他端部側の部位が、前記中間支持部材に当接するようにして、前記付勢手段による付勢力を前記ワーク支持部材の伝えるテコ構成部材とを有するワーク支持具である。